【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
広告を配信する方法であって、
プロセッサにおいて、第1の広告への第1のユーザの露出を判定するステップと、
前記プロセッサにおいて、第1の通信デバイスのユーザインターフェースとの第1のユーザ対話を判定するステップと、
前記プロセッサにおいて、前記第1の広告への前記第1のユーザの前記露出に対応する露出持続時間を判定するステップと、
前記プロセッサにおいて、前記第1の通信デバイスとの前記第1のユーザ対話中に前記露出持続時間が起こるか否かを判定するステップと、
前記プロセッサにおいて、前記露出持続時間が露出閾値に達したか否かを判定するステップと、
前記第1の通信デバイスとの前記第1のユーザ対話中に前記露出持続時間が起こらないという判定と、前記露出持続時間が前記露出閾値に達したという判定とに応答して、前記第1の広告から対応する第2の広告への変換を取得するトリガを送信するステップであって、前記第2の広告は、前記第1の通信デバイスと第2の通信デバイスとから成るグループから選択された少なくとも1のデバイスを介してユーザインターフェース対話を提供するように構成される、ステップと
を含む方法。
【請求項２】
複数のユーザから収集された前記第1の広告への複数のユーザ露出時間の関数として、前記第1の広告へのサンプル集団露出時間を判定するステップをさらに含み、
前記露出持続時間が前記露出閾値に達したか否かを判定するステップが、前記露出持続時間が前記サンプル集団露出時間よりも大きいか否かを判定するステップを含む、請求項1に記載の方法。
【請求項３】
前記サンプル集団露出時間が、前記第1の広告の位置と相関する位置にいる前記複数のユーザによって費やされる平均露出時間をさらに含む、請求項2に記載の方法。
【請求項４】
前記複数のユーザは、前記第1の広告の前記位置と相関する位置において時間を費やす全ユーザ、またはある期間中に前記第1の広告の前記位置と相関する前記位置において時間を費やす前記全ユーザの部分集合のいずれかを含む、請求項3に記載の方法。
【請求項５】
前記第1の通信デバイスが、他の場所で費やした平均時間を判定するステップをさらに含み、
前記露出持続時間が前記露出閾値に達したか否かを判定するステップが、前記露出持続時間が、前記第1の通信デバイスが他の場所で費やした前記平均時間よりも大きいか否かを判定するステップを含む、請求項1に記載の方法。
【請求項６】
前記第1の広告に対応する最小露出時間を判定するステップをさらに含み、
前記露出持続時間が前記露出閾値に達したか否かを判定するステップが、前記露出持続時間が前記最小露出時間よりも大きいか否かを判定するステップを含む、請求項1に記載の方法。
【請求項７】
ある期間にわたるユーザの動きの履歴情報を判定するステップをさらに含み、
前記露出持続時間が前記露出閾値に達したか否かを判定するステップが、前記露出持続時間と組み合わせて、および前記履歴情報に基づいて、履歴上の露出持続時間のパターンが前記第1の広告に対応するか否かを判定するステップを含む、請求項1に記載の方法。
【請求項８】
前記第1のユーザ対話に基づいて判定された場所で前記第2の広告を受信するステップをさらに含む、請求項1に記載の方法。
【請求項９】
前記第2の広告を受信するステップが、
前記ユーザインターフェース上で、前記露出持続時間中に前記第1の通信デバイスのロケーション情報が前記第1の広告の位置と相関するときに、前記第2の広告を受信するステップ、または
eメールアカウントで、前記第2の広告が、前記第1の通信デバイスを使ったインターネットを介した履歴上の購入に対応するとき、前記第2の広告を受信するステップ、または
前記eメールアカウントの1または2以上で、および前記第1の通信デバイス上で、前記第1の通信デバイスの速度が速度閾値を満たすときに、前記第2の広告を受信するステップ、または
テキストメッセージにより前記第2の広告を受信するステップ、または
インターネットプロトコルテレビのポップアップメニューにより前記第2の広告を受信するステップ
の少なくとも1つをさらに含む、請求項8に記載の方法。
【請求項１０】
前記第1の広告はオーディオまたはビデオ広告を含み、前記方法はさらに、
前記第1の広告の広告持続時間を判定するステップと、
前記第1の広告と時間が隣接する他の広告についての他の広告露出情報を判定するステップとをさらに含み、
前記露出持続時間が前記露出閾値に達したか否かを判定するステップが、前記露出持続時間が前記広告持続時間の最小部分よりも大きいか否かを判定するステップを含み、前記他の広告露出情報が前記他の広告露出の欠如を示す、請求項1に記載の方法。
【請求項１１】
前記第1の広告に対応するユーザ行動広告履歴を判定するステップをさらに含み、
前記露出持続時間が前記露出閾値に達したか否かを判定するステップが、前記ユーザ行動広告履歴と組み合わされた前記露出持続時間が前記第1の広告へのユーザ関心の見込みを示すか否かを判定するステップを含む、請求項1に記載の方法。
【請求項１２】
前記ユーザ行動広告履歴が、
前記第1の広告が、第1の期間にわたって、最小時間よりも長い時間、複数回消費されることを示す情報、または
前記第1の広告が、第2の期間にわたって、複数のチャネルで複数回消費されることを示す情報、または
1または2以上のオーディオもしくはビデオ制御を使用して、前記第1の広告が一時停止され、巻き戻され、もしくはリプレイされることを示す情報、または
1または2以上の前記オーディオもしくはビデオ制御は、前記露出持続時間中に、最小格付け閾値よりも大きいユーザ格付けを提供するために使用されることを示す情報
の少なくとも1つを含む、請求項11に記載の方法。
【請求項１３】
前記第1の通信デバイスとの前記第1のユーザ対話に対応する入力を検出するステップをさらに含む、請求項1に記載の方法。
【請求項１４】
前記第1の広告とは離れたネットワークで、前記第1の通信デバイスとの前記第1のユーザ対話に対応する入力を検出するステップをさらに含む、請求項1に記載の方法。
【請求項１５】
前記第1の通信デバイスで、別の入力を検出するステップをさらに含む、請求項14に記載の方法。
【請求項１６】
第1の広告への第1のユーザの露出を判定することと、
第1の通信デバイスのユーザインターフェースとの第1のユーザ対話を判定することと、
前記第1の広告への前記第1のユーザの前記露出に対応する露出持続時間を判定することと、
前記第1の通信デバイスとの前記第1のユーザ対話中に前記露出持続時間が起こるか否かを判定することと、
前記露出持続時間が露出閾値に達したか否かを判定することと、
前記第1の通信デバイスとの前記第1のユーザ対話中に前記露出持続時間が起こらないという判定と、前記露出持続時間が前記露出閾値に達したという判定とに応答して、前記第1の広告から対応する第2の広告への変換を取得するトリガを送信することであって、前記第2の広告は、前記第1の通信デバイスと第2の通信デバイスとから成るグループから選択された少なくとも1のデバイスを介してユーザインターフェース対話を提供するように構成される、ことと
を含む動作をコンピューティングデバイスのプロセッサに実行させるように構成されたプロセッサ実行可能ソフトウェア命令を記憶している不揮発性コンピュータ可読記憶媒体。
【請求項１７】
広告を配信するための装置であって、
第1の広告への第1のユーザの露出を判定するための手段と、
第1の通信デバイスのユーザインターフェースとの第1のユーザ対話を判定するための手段と、
前記第1の広告への前記第1のユーザの前記露出に対応する露出持続時間を判定するための手段と、
前記第1の通信デバイスとの前記第1のユーザ対話中に前記露出持続時間が起こるか否かを判定するための手段と、
前記露出持続時間が露出閾値に達したか否かを判定するための手段と、
前記第1の通信デバイスとの前記第1のユーザ対話中に前記露出持続時間が起こらないという判定と、前記露出持続時間が前記露出閾値に達したという判定とに応答して、前記第1の広告から対応する第2の広告への変換を取得するトリガを送信するための手段であって、前記トリガを送信するための前記手段は、前記第2の広告に、前記第1の通信デバイスと第2の通信デバイスとから成るグループから選択された少なくとも1のデバイスを介してユーザインターフェース対話を提供させるように構成される、前記手段と
を備える装置。
【請求項１８】
広告を配信するための装置であって、
第1の広告への第1のユーザの露出の第1の指標を受信するように構成されたネットワークインターフェースであって、前記ネットワークインターフェースはさらに、第1の通信デバイスのユーザインターフェースとの第1のユーザ対話の第2の指標を受信するように構成された、ネットワークインターフェースと、
前記第1及び第2の指標を記憶するように構成されたメモリと、
前記ネットワークインターフェース及び前記メモリに接続されたプロセッサであって、前記プロセッサは、
前記第1の広告への前記第1のユーザの前記露出に対応する露出持続時間を判定することと、
前記第1の通信デバイスとの前記第1のユーザ対話中に前記露出持続時間が起こるか否かを判定することと、
前記露出持続時間が露出閾値に達したか否かを判定することと
を含む動作を実行するためのプロセッサ実行可能命令で構成された、プロセッサと
を備え、
前記ネットワークインターフェースはさらに、前記第1の通信デバイスとの前記第1のユーザ対話中に前記露出持続時間が起こらないという判定と、前記露出持続時間が前記露出閾値に達したという判定とに応答して、前記第1の広告から対応する第2の広告への変換を取得するトリガを送信するように構成され、前記第2の広告は、前記第1の通信デバイスと第2の通信デバイスとから成るグループから選択された少なくとも1のデバイスを介してユーザインターフェース対話を提供するように構成される、装置。
【請求項１９】
前記ネットワークインターフェースが、前記第1の広告に対応するサンプル集団露出時間に構成され、前記サンプル集団露出時間が、複数のユーザから収集された、前記第1の広告に対応する複数のユーザ露出時間の関数を含み、
前記露出持続時間が前記露出閾値に達したか否かを判定することが、前記露出持続時間が前記サンプル集団露出時間よりも大きいか否かを判定することを含む、請求項18に記載の装置。
【請求項２０】
前記サンプル集団露出時間が、ある期間中に前記第1の広告の位置と相関する位置にいる前記複数のユーザによって費やされる平均露出時間をさらに含む、請求項19に記載の装置。
【請求項２１】
前記複数のユーザは、前記期間中に前記第1の広告の前記位置と相関する位置において時間を費やす全ユーザ、または前記期間中に前記第1の広告の前記位置と相関する前記位置において時間を費やす前記全ユーザの部分集合のいずれかを含む、請求項20に記載の装置。
【請求項２２】
前記プロセッサはさらに、ある期間中にユーザが他の場所で費やした平均時間を判定することを含む動作を実行するためのプロセッサ実行可能命令で構成され、
前記露出持続時間が前記露出閾値に達したか否かを判定することが、前記露出持続時間が、前記ユーザが他の場所で費やした前記平均時間よりも大きいか否かを判定することを含む、請求項18に記載の装置。
【請求項２３】
前記プロセッサは、前記第1の広告に対応する最小露出時間を判定することをさらに含む動作を実行するためのプロセッサ実行可能命令で構成され、
前記露出持続時間が前記露出閾値に達したか否かを判定することが、前記露出持続時間が前記最小露出時間よりも大きいか否かを判定することを含む、請求項18に記載の装置。
【請求項２４】
前記プロセッサは、ある期間にわたる、ユーザの動きの履歴情報を判定することをさらに含む動作を実行するためのプロセッサ実行可能命令で構成され、
前記露出持続時間が前記露出閾値に達したか否かを判定することが、前記露出持続時間と組み合わせて、および前記履歴情報に基づいて、履歴上の露出持続時間のパターンが前記第1の広告に対応するか否かを判定することをさらに含む、請求項18に記載の装置。
【請求項２５】
前記ネットワークインターフェースがさらに、前記第1のユーザ対話に基づいて前記第2の広告を受信するように構成された、請求項18に記載の装置。
【請求項２６】
前記トリガを送信することに応答して、前記第2の広告は、
前記露出持続時間中に前記第1の通信デバイスのロケーション情報が前記第1の広告の位置と相関するときに、前記第1の通信デバイスに、または
前記第2の広告が、前記第1の通信デバイスを使ったインターネットを介した履歴上の購入に対応するとき、eメールアカウントに、または
前記第1の通信デバイスの速度が速度閾値を満たすときに、前記eメールアカウントの1もしくは2以上あるいは前記第1の通信デバイスに、または
ポップアップメニューとしてテレビに
送信される、請求項25に記載の装置。
【請求項２７】
前記第1の広告はオーディオまたはビデオ広告を含み、かつ前記プロセッサは、
前記第1の広告の広告持続時間を判定することと、
前記第1の広告と時間が隣接する他の広告についての他の広告露出情報を判定することと
をさらに含むプロセッサ実行可能命令で構成され、
前記露出持続時間が前記露出閾値に達したか否かを判定することが、前記露出持続時間が前記広告持続時間の最小部分よりも大きいか否かを判定することを含み、前記他の広告露出情報が前記他の広告露出の欠如を示す、請求項18に記載の装置。
【請求項２８】
前記プロセッサは、
前記第1の広告に対応するユーザ行動広告履歴を判定することをさらに含むプロセッサ実行可能命令で構成され、
前記露出持続時間が前記露出閾値に達したか否かを判定することが、前記ユーザ行動広告履歴と組み合わされた前記露出持続時間が前記第1の広告へのユーザ関心の見込みを示すか否かを判定することを含む、請求項18に記載の装置。
【請求項２９】
前記ユーザ行動広告履歴が、
前記第1の広告が、第1の期間にわたって、最小時間よりも長い時間、複数回消費されることを示す情報、または
前記第1の広告が、第2の期間にわたって、複数のチャネルで複数回消費されることを示す情報、または
1または2以上のオーディオもしくはビデオ制御を使用して、前記第1の広告が一時停止され、巻き戻され、もしくはリプレイされることを示す情報、または
1または2以上の前記オーディオもしくはビデオ制御は、前記露出持続時間中に、最小格付け閾値よりも大きいユーザ格付けを提供するために使用されることを示す情報
の少なくとも1つを含む、請求項28に記載の装置。
【請求項３０】
前記ネットワークインターフェースはさらに、前記第1の通信デバイスとの前記第1のユーザ対話に対応する入力を検出するように構成された、請求項18に記載の装置。
【請求項３１】
前記ネットワークインターフェースはさらに、前記第1の広告とは離れたネットワークで、前記第1の通信デバイスとの前記第1のユーザ対話に対応する入力を検出するように構成された、請求項18に記載の装置。
【請求項３２】
前記ネットワークインターフェースはさらに、前記第1の通信デバイスで、別の入力を検出するように構成された、請求項31に記載の装置。
【請求項３３】
前記トリガは、エアインターフェースを介してリモートネットワークへ送信される、請求項18に記載の装置。
【請求項３４】
前記ネットワークインターフェースはさらに、前記第2の広告を生成する広告サーバから前記第1の広告に対応する前記第2の広告を取得するように構成された、請求項18に記載の装置。
【請求項３５】
前記ネットワークインターフェースはさらに、前記対応する第1の広告との識別された関係とともに前記第2の広告を記憶し、かつ前記識別された関係に基づいて前記第2の広告を取り出す広告サーバから、前記第1の広告に対応する前記第2の広告を取得するように構成された、請求項18に記載の装置。
【請求項３６】
広告サーバは、前記第1の広告に対応する前記第2の広告を生成する、請求項1に記載の方法。
【請求項３７】
広告サーバは、前記対応する第1の広告との識別された関係とともに前記第2の広告を記憶し、かつ前記識別された関係に基づいて前記第2の広告を取り出す、請求項1に記載の方法。